(57)【要約】【課題】広告などの情報が視聴されるようにする。【解決手段】第一情報取得部１０１で取得した第一情報を第一情報出力部１０２にて出力する。メニュー表示要求をメニュー表示要求取得部１０３で取得し、それに応じて、メニュー情報出力部１０４で出力する。出力されたメニューの項目の選択を示す選択情報を選択情報取得部１０５で取得し、その選択情報に基づいて第二情報取得部１０６で第二情報を取得し、第二情報出力部１０７によって、第一情報の出力の形態を変更して第二情報を出力する。これにより、例えば、第一情報を広告を出力するための情報とすることにより、第二情報の出力が行なわれる前に広告が視聴されるようにすることができる。【選択図】　図１
2004126926.tif 000002
【特許請求の範囲】
【請求項１】
第一の情報である第一情報を取得する第一情報取得部と、
前記第一情報取得部にて取得した第一情報を出力する第一情報出力部と、
一つまたは複数の項目からなるメニューの表示を要求する情報であるメニュー表示要求を取得するメニュー表示要求取得部と、
前記メニュー表示要求取得部で取得されたメニュー表示要求に応じてメニューを表示する情報であるメニュー情報を出力するメニュー情報出力部と、
前記メニュー情報出力部にて出力されたメニュー情報に基づいて選択されたメニューの項目に関する情報である選択情報を取得する選択情報取得部と、
前記選択情報取得部で取得された選択情報に基づいて、第二の情報である第二情報を取得する第二情報取得部と、
前記第二情報取得部で取得された第二情報を前記第一情報出力部での第一情報の出力の形態を変更して出力する第二情報出力部と、
を備えた情報表示装置。
【請求項２】
前記第一情報と前記メニュー情報との対応付けを示す情報である情報メニュー対応情報を蓄積する情報メニュー対応蓄積部を備え、
前記メニュー情報出力部は、前記第一情報出力部にて出力されている第一情報と前記情報メニュー対応蓄積部に蓄積された情報メニュー対応情報とに基づいてメニュー情報を出力する請求項１に記載の情報表示装置。
【請求項３】
前記第一情報は広告を表示するための情報である請求項１または２に記載の情報表示装置。
【請求項４】
前記第二情報は広告を表示するための情報である請求項１または２に記載の情報表示装置。
【請求項５】
前記第二情報は文字列を表示するための情報である請求項１または２に記載の情報表示装置。
【請求項６】
前記第二情報出力部での第一情報の出力の形態の変更は、前記第一情報の出力がされている画面の面積を減じて、前記第二情報を出力する領域を前記画面内に確保するものである請求項１ないし５のいずれか一に記載の情報表示装置。
【請求項７】
前記第二情報出力部での第一情報の出力の形態の変更は、前記第一情報の出力がされている画面の面積を減じて、前記第二情報を出力する領域を前記画面内の下部に確保するものである請求項１ないし５のいずれか一に記載の情報表示装置。
【請求項８】
前記第二情報出力部での第一情報の出力の形態の変更は、前記第一情報の出力の一部を削除することで前記第一情報の出力に利用されている画面の面積を減じて、前記第二情報を出力する領域を確保するものである請求項１ないし５のいずれか一に記載の情報表示装置。
【請求項９】
前記第二情報出力部での第一情報の出力の形態の変更は、前記第一情報の出力の一部を削除することで前記第一情報の出力に利用されている画面の面積を減じて、前記第二情報を出力する領域を前記画面内の下部に確保するものである請求項１ないし５のいずれか一に記載の情報表示装置。
【請求項１０】
第一情報を出力する第一情報出力部と、
選択情報を取得するサーバ選択情報取得部と、
前記サーバ選択情報取得部にて取得された選択情報に基づいて第二情報を出力する第二情報出力部と、
前記第一情報出力部で出力される前記第一情報を識別する第一情報識別情報と前記サーバ選択情報取得部で取得された前記選択情報とを履歴として蓄積する選択履歴蓄積部と、
を備えた情報サーバ。
【発明の詳細な説明】
【０００１】
【発明の属する技術分野】
本発明は第一の情報を出力し、選択された第二の情報を出力する際に、第一の情報の出力の形態を変更して出力する情報表示装置と第一の情報と第二の情報とを出力する情報サーバに関する。例えば、第一の情報として広告を出力し、その広告に応じて選択された第二の情報であるコンテンツを出力する情報表示装置に関する。
【０００２】
【従来の技術】
従来、広告の表示とともに、コンテンツを表示することが行なわれている（例えば、特許文献１参照。）。このように広告の表示により、その広告が表示される人に対するコンテンツの表示というサービスの提供の対価を低減したり無料にしたりすることが可能となる。
【０００３】
また、衛星放送の開始や通信のブロードバンド化などにより、多数のチャンネルの下でのコンテンツの提供が可能となっている。
【０００４】
また、図１７に示すようにテレビの放送においては、特別な事件などが発生すると、主画面１７０１に従画面１７０２を表示し、主画面１７０１において、その特別な事件についての放送を行い、従画面１７０２において、その他の放送を行なったり、あるいは、主画面１７０１において、通常の内容の放送を行い、従画面１７０２でその特別な事件についての放送を行なったりすることが行なわれている。
【０００５】
【特許文献１】
特表２００２−５１３２５４号公報（第３図）
【発明が解決しようとする課題】
広告の表示とともにコンテンツを表示する場合、例えば、広告とコンテンツとを同時に表示する場合には、そのような表示に慣れてくると、広告の表示の部分を見ないようにしてコンテンツだけを見るようになり、広告の効果が無くなるという課題がある。また、コンテンツの表示の途中に広告を表示するようにすると、広告の表示の間にトイレに行くなど席をはずすことにより、広告を見ないようになり、やはり、広告の効果が無くなるという課題がある。
【０００６】
また、多数のチャンネル下でのコンテンツの提供における広告の表示のあり方については、充分検討が行なわれていないという課題がある。
【０００７】
また、図１７に示すように主画面と従画面とを用いる放送では、主画面と従画面とで放送される内容が関連性を持つ必然性が無いという課題がある。
【０００８】
そこで、本発明では、広告効果が無くならず、また、多数のチャンネル下でのコンテンツ提供に適応した広告の表示を目的とする。
【０００９】
【課題を解決するための手段】
この課題を解決するために、本発明では、第一の情報を表示する部と、メニューを表示する要求を取得する部と、メニューを表示する部と、メニューの選択された項目に関する情報を取得する部と、取得されたメニューの選択された項目に関する情報に基づいて第二の情報を取得する部と、取得された第二の情報を、第一の情報の出力の形態を変更して出力する情報表示装置を提供する。
【００１０】
これにより、例えば、第一の情報を広告を表示するための情報とし、第二の情報をコンテンツを表示するための情報とすることにより、コンテンツを見るためには、必ず、広告を見なければならなくなり、課題が解決される。
【００１１】
また、第一の情報の表示が行なわれている際に表示されるメニューの項目を複数にしておくことにより、第一の情報と複数の第二の情報とが関連付けられ、選択されたメニューの項目に対応する第二の情報が提供されることになるので、多数のチャンネル下でのコンテンツ提供に適応した広告の表示が可能となり、課題が解決される。
【００１２】
また、第二の情報は、第一の情報の出力に基づいて表示されるメニューにより選択されるので、第二の情報と第一の情報を関連付けることが可能となり、課題が解決される。
【００１３】
なお、本発明で提供される情報表示装置には、第一の情報とメニューを表示するための情報との対応付けを示す情報を蓄積する部を備えるようにしてもよい。
【００１４】
【発明の実施の形態】
以下、本発明の実施の形態について、図を用いて説明する。なお、本発明はこれら実施形態に何ら限定されるものではなく、その要旨を逸脱しない範囲において、種々なる態様で実施し得る。
【００１５】
（実施形態１）
本発明の実施形態１は、第一の情報を表示する部と、メニューを表示する要求を取得する部と、メニューを表示する部と、メニューの選択された項目に関する情報を取得する部と、取得されたメニューの選択された項目に関する情報に基づいて第二の情報を取得する部と、取得された第二の情報を、第一の情報の出力の形態を変更して出力する情報表示装置に関する。
【００１６】
（実施形態１：構成）
図１は、本実施形態における情報表示装置の機能ブロック図を例示する。情報表示装置１００は、第一情報取得部１０１と、第一情報出力部１０２と、メニュー表示要求取得部１０３と、メニュー情報出力部１０４と、選択情報取得部１０５と、第二情報取得部１０６と、第二情報出力部１０７と、を備えている。
【００１７】
「第一情報取得部」１０１は、第一情報を取得する。「第一情報」とは、第一の情報である。この第一の情報としては、映像情報、音声情報、文字情報などや、これらの組み合わせなどがある。「第一情報を取得する」ことには、例えば、情報表示装置１００の内部に蓄積された第一情報を読み出すこと、あるいは、外部から入力される第一情報を受信すること、がある。外部から入力される第一情報を受信する場合には、放送された第一情報を受信する、通信により情報表示装置１００に向けて送信された第一情報を受信する場合などがある。
【００１８】
「第一情報出力部」１０２は、第一情報取得部１０１にて取得した第一情報を出力する。例えば、第一情報取得部１０１で取得した第一情報をそのまま情報表示装置１００の外部に出したり、あるいは、第一情報が映像情報であれば、情報の形式に応じて、映像情報や文字情報ならば情報表示装置が備える画面に表示したり、音声情報ならばスピーカから出力したりする。
【００１９】
「メニュー表示要求取得部」１０３は、メニュー表示要求を取得する。「メニュー表示要求」とは、一つまたは複数の項目からなるメニューの表示を要求する情報である。例えば、情報表示装置１００にスイッチが備えられており、そのスイッチを押すことにより発生する信号をメニュー表示要求の情報として取得する。あるいは、情報表示装置１００がセンサーを備えており、そのセンサーが検出した情報をメニュー表示要求の情報として取得する。また、情報表示装置１００が別の装置に接続されており、別の装置により取得された情報をメニュー表示要求の情報として取得する。また、第一情報を認識する者からメニュー表示要求を取得するのではなく、他の者からメニュー表示要求を取得するようになっていてもよい。例えば、第一情報や後述の第ニ情報を出力したり送信したりする者より取得されるようになっていてもよい。また、情報表示装置１００に備えられたタイマーなどにより、情報表示装置１００の電源が入れられてから一定時間が経過した時、または、第一情報の出力が開始されてから一定時間が経過した時、などに取得されるようになっていてもよい。
【００２０】
「メニュー情報出力部」１０４は、メニュー情報を出力する。「メニュー情報」とは、メニュー表示要求取得部１０３で取得されたメニュー表示要求に応じてメニューを表示するための情報である。「メニュー」とは、選択が可能な項目を含み表示が可能あるいは音声により聴くことが可能な情報である。表示が可能なメニューの例としては、各項目を矩形領域に対応付け、それらの矩形領域を上下に配置したものがあり、パーソナルコンピュータのＧＵＩの一部として使用がされている。
【００２１】
メニュー表示要求取得部１０３でメニュー表示要求が取得されると、例えば、あらかじめ決められたメニュー情報を出力したり、第一情報取得部１０１で取得された第一情報、あるいは、第一情報出力部１０２で出力される第一情報に対応付けられているメニュー情報を出力したりする。
【００２２】
選択情報取得部１０５は、選択情報を取得する。「選択情報」とは、メニュー情報出力部１０４にて出力されたメニュー情報に基づいて選択されたメニューの項目に関する情報である。例えば、メニュー情報が表示の可能なものである場合には、どの項目がマウスなどにより選択されたかを示す情報である。また、メニュー情報が聴くことの可能なものであれば、何番目の項目が選択されたかを示す情報である。
【００２３】
「第二情報取得部」１０６は、選択情報取得部１０５で取得された選択情報に基づいて、第二の情報である第二情報を取得する。例えば、メニュー情報の項目と第二情報とがデータベース管理システムにより管理されている表などにより関連付けられており、第二情報取得部１０６は、選択された項目に関連付けられた第二情報を取得する。
【００２４】
「第二情報を取得する」とは、例えば、情報表示装置１００に蓄積されている第二情報を読み出したり、外部に第二情報の要求を出力して、その返信として入力される第二情報を得たりする。また、放送されている複数の第二情報の中から、必要な第二情報が放送されているチャンネルなどを選択して、得るようにしてもよい。
【００２５】
「第二情報出力部」１０７は、第二情報取得部１０６で取得された第二情報を、第一情報出力部１０２での第一情報の出力の形態を変更して出力する。「第一情報の出力の形態を変更して」とは、第一情報に第二情報を重ねて出力したり、第一情報の表示を小さくして、得られた余白部分に第二情報を出力したりすることを含む概念である。また、第一情報の出力を停止することを含む。また、第一情報が映像情報で、第二情報が音声情報であるなど、その出力の方法が異なる場合には、同時に第一情報と第二情報との出力を行い、情報を享受する人間の第一情報の感じ方を変更することも含む。
【００２６】
（実施形態１：第一情報の出力から第二情報の出力までの一例）
図２から図４は、本発明において、第一情報と第二情報とが映像情報を含むものである場合に、第一情報の出力がされている状態から、第二情報が出力されるまでの例を示す。
【００２７】
図２において、画面２０１に、第一情報が第一情報出力部１０２で出力され表示されている。この状態で、メニュー表示要求がメニュー表示要求取得部１０３で取得されると、図３に例示されるように、メニュー情報出力部１０４によりメニュー３０１が表示される。メニューの項目が、例えば、マウス操作やリモコン操作などにより選択され、選択情報が選択情報取得部１０５で取得されると、その選択情報に基づいて第二情報が第二情報取得部１０６で取得され、第二情報出力部１０７により、図４に例示されるように、第一情報の出力の形態が変更されて、小画面４０１の中に第二情報が表示されることになる。
【００２８】
（実施形態１：処理の流れ）
図５は、本実施形態における処理の流れを説明するフローチャートを例示する。
【００２９】
ステップＳ５０１において、第一情報取得部１０１で取得された第一情報を、第一情報出力部１０２により出力する。
【００３０】
ステップＳ５０２において、メニュー表示要求が、メニュー表示要求取得部１０３で取得されるまで待つ。
【００３１】
ステップＳ５０３において、メニュー情報を、メニュー情報出力部１０４にて出力する。
【００３２】
ステップＳ５０４において、選択情報を、選択情報取得部１０５で取得するまで待つ。
【００３３】
ステップＳ５０５において、選択情報に基づいて、第二情報を、第二情報取得部１０６にて取得する。
【００３４】
ステップＳ５０６において、第二情報出力部１０７にて、第一情報の出力の形態を変更して代に情報を出力する。
【００３５】
（実施形態１：計算機で動作するプログラムにより、情報表示装置を実現することができる）
なお、本実施形態の情報表示装置１００は、計算機によって実現することができる。その場合には、図５に例示されたフローチャートの各ステップを計算機により実行するためのプログラムを用いればよい。
【００３６】
（実施形態１：主な効果）
本実施形態によれば、第一情報が出力され、第一情報が人間に認識されてから第二情報を出力することになり、第一情報の認識を確実なものにすることができる。
【００３７】
（実施形態２）
本発明の実施形態２は、実施形態１の情報表示装置において、第一情報とメニュー情報とに関連を持たせた情報表示装置に関する。
【００３８】
（実施形態２：構成）
図６は、本実施形態における情報表示装置の機能ブロック図を例示する。本実施形態における情報表示装置は、実施形態１の情報表示装置が、さらに情報メニュー対応蓄積部６０１を備えさせたものである。
【００３９】
「情報メニュー対応蓄積部」６０１は、情報メニュー対応情報を蓄積する。「情報メニュー対応情報」とは、第一情報とメニュー情報との対応付けを示す情報である。
【００４０】
図７は、この第一情報とメニュー情報との対応付けを保持する表７０１を例示する。「第一情報識別情報」という列は、第一情報取得部１０１で取得された第一情報を識別する情報を保持し、「メニュー情報識別情報」という列は、メニュー情報出力部１０４で出力されるメニュー情報を識別する情報を保持する。情報メニュー対応蓄積部６０１は、例えば、表７０１を表現するデータを情報メニュー対応情報として蓄積する。例えば、半導体メモリやハードディスクによって蓄積を行なう。
【００４１】
本実施形態においては、メニュー情報出力部１０４は、第一情報出力部にて出力されている第一情報と情報メニュー対応蓄積部６０１に蓄積された情報メニュー対応情報とに基づいてメニュー情報を出力する。例えば、表７０１により表現される情報メニュー対応情報が情報メニュー対応蓄積部６０１に蓄積されている場合において、第一情報出力部１０２で出力される第一情報の識別情報がＩ−２８４７２９であるときには、表７０１を走査あるいは検索をして、Ｍ−０４０１６７により識別されるメニュー情報が出力されるべきであると判断される。その結果、Ｍ−０４０１６７により識別されるメニュー情報が取得されて出力される。
【００４２】
（実施形態２：処理の流れ）
本実施形態における処理の流れは、図５に例示されたものと同様である。ただし、ステップＳ５０３においてメニュー情報を出力する際には、ステップＳ５０１で出力されている第一情報と情報メニュー対応情報とに基づいた処理が行なわれる。
【００４３】
（実施形態２：主な効果）
本実施形態によれば、出力される第一情報とメニュー情報とに関連性を持たせることができ、結果として、第一情報と第二情報とに関連を持たせることが可能となる。
【００４４】
（実施形態３）
本発明の実施形態３においては、実施形態１または２の情報表示装置を、第一情報として広告が出力されるように構成したものが提供される。
【００４５】
（実施形態３：構成）
本実施形態においては、実施形態１または２の情報表示装置において、第一情報を、広告を表示するための情報とする。「広告」とは、商品や役務の宣伝や、事実や宣言の告知などである。日常会話では、広告を『コマーシャル』と称する場合が多い。
【００４６】
例えば、図２の画面２０１で表示されているものが広告となる。図３でメニュー３０１が表示される場合には、この広告に応じてメニュー３０１が表示されてもよい。画面２０１で表示される広告は、同じものが繰り返し表示されていてもよいし、時間とともに変化してもよい。時間とともに表示される広告が変化する場合には、その広告に応じてメニュー３０１の内容が変化するようになっていてもよい。
【００４７】
また、図４では、第一情報の方が第二情報より大きく表示されているが、第二情報の方を第一情報より大きな面積にて表示されるようになっていてもよいし、第ニ情報のみが表示されるようになっていてもよい。
【００４８】
また、メニュー３０１で選択される項目は、メニュー３０１が表示されたときに第一情報として表示されている広告の広告主がスポンサーとなるコンテンツであってもよい。
【００４９】
（実施形態３：処理の流れ）
図８は、本実施形態における情報表示装置が実施形態２の情報表示装置に基づく場合の処理の流れの概略を説明するフローチャートを例示する。
【００５０】
まず、第一情報として広告を出力する（ステップＳ８０１）。次に、出力されている広告に対応付けられたメニューの表示を行なう（ステップＳ８０２）。そして、選択情報に基づいて、第二情報を出力する（ステップＳ８０３）。
【００５１】
（実施形態３：主な効果）
本実施形態により、第一情報の広告の広告主は、複数のコンテンツのスポンサーとなることができ、多チャンネル化やブロードバンド化での広告手法が提供できるようになる。
【００５２】
（実施形態４）
本発明の実施形態３においては、実施形態１または２の情報表示装置を、第ニ情報として広告が出力されるように構成したものが提供される。
【００５３】
（実施形態４：構成）
本実施形態においては、実施形態１または２の情報表示装置において、第ニ情報を、広告を表示するための情報とする。
【００５４】
例えば、図２の画面２０１で表示されているものが通常のコンテンツ（例えば映画やドラマ、ドキュメンタリー）であり、図３のようにメニュー３０１が表示される場合には、このコンテンツに応じてメニュー３０１が表示されるようになっていてもよい。メニュー３０１が表示されるときには、メニューの項目の選択や第二情報の出力が行なわれるまで、コンテンツの表示を停止するようにしてもよい。画面２０１で表示されるコンテンツは、同じものが繰り返し表示されていてもよいし、時間とともに変化してもよい。時間とともに表示されるコンテンツが変化する場合には、そのコンテンツに応じてメニュー３０１の内容が変化するようになっていてもよい。
【００５５】
また、メニュー３０１で選択される項目は、メニュー３０１が表示されたときに第一情報として表示されているコンテンツのスポンサーが広告主となる広告を選択するためのものであってもよい。
【００５６】
（実施形態４：処理の流れ）
図９は、本実施形態における情報表示装置の処理の流れの概略を説明するフローチャートを例示する。まず第一情報を出力し（ステップＳ９０１）、出力されている第一情報に対応付けられたメニューの表示を行なう（ステップＳ９０２）。そして、選択情報に基づいて第二情報として広告を表示する（ステップＳ９０３）。
【００５７】
（実施形態４：主な効果）
本実施形態により、同一のコンテンツに複数のスポンサーを付けて、スポンサー一つあたりの広告料を下げることが可能となる。また、選択情報として選択された項目の統計情報を蓄積することにより、どのスポンサーの広告が多く見られたかを知ることができ、広告の評判やスポンサーの評判などを知ることが可能となる。
【００５８】
（実施形態５）
本発明の実施形態５は、実施形態１の情報表示装置において、第二情報を文字列を表示するための情報であるように構成した情報表示装置に関する。
【００５９】
このように情報表示装置を構成することにより、例えば、第一情報として、映画やドラマの情報が出力されている場合に、例えば、野球の途中経過や最新のニュース、天気予報などを知りたくなった場合には、メニュー表示要求を情報表示装置に取得させてメニューを出力させ、適切なメニューの項目を選ぶことにより、知りたい情報が文字情報として出力されることになる。例えば、映像として映画やドラマが出力されている場合には、それに第二情報の示す文字を重ねることにより、あるいは、映画やドラマが出力される面積を減じ、得られる領域に第二情報の示す文字を表示する。
【００６０】
なお、「文字列を表示するための情報」とは、アスキーコードやＪＩＳコードなどにより指定された文字の並びを表示するものに限られず、人間が認識したときに、文字の並びと感ぜられるイメージデータを表示するための情報であってもよい。
【００６１】
（実施形態５：主な効果）
本実施形態によれば、第一情報の視聴が行なわれている間に、例えば、第一情報の視聴に差し障りが出ないように第二情報を出力することが可能となる。
【００６２】
（実施形態６、７、８、９）
本発明の実施形態６ないし９は、実施形態１ないし５のいずれか一において、第二情報を出力する際の第一情報を出力する形態の変更に特徴を持たせた情報表示装置に関する。この場合、第一情報と第二情報とは、画面に表示される情報であってもよい。
【００６３】
（実施形態６）
実施形態６は、第一情報の出力の形態の変更として、第一情報の出力がされている画面の面積を減じて、第二情報を出力する領域を画面内に確保するものである。
【００６４】
図１０は、この様子を例示する。第一情報が画面１００１に表示されている場合に、この第一情報が表示されている画面１００１の面積を減じて、画面１００２として、余白となった領域１００３に第二情報を出力する。「減じる」とは、情報の縮小（例えば、複数のサンプル点の情報による補間によるもの）をすることを意味する。
【００６５】
このように表示を行なうことにより、例えば、第一情報と第二情報とが重なることなく表示されるようにすることができる。
【００６６】
（実施形態７）
実施形態７は、第一情報出力の形態の変更として、第一情報の出力がされている画面の面積を減じて、第二情報を出力する領域を、前記画面の下部に確保するものである。
【００６７】
図１１は、この様子を例示する。第一情報が画面１１０１に表示されている場合に、この第一情報が表示されている画面１１０１の面積を減じて、画面１１０２として、画面１１０２の下部に確保された領域１１０３に第二情報を出力する。
【００６８】
下部に第二情報が表示されることにより、例えば、さりげなく第二情報を表示することができる。
【００６９】
（実施形態８）
実施形態８は、第一情報の出力の形態の変更として、第一情報の一部を削除するものであり、削除することで第一情報の出力に利用されている画面の面積を減じて、第二情報を出力する領域を確保するものである。「削除する」とは、情報量をゼロにしたり、その情報を出力しないようにしたりすることである。例えば、情報を間引くことにより、間引かれた情報が出力されないようにすることである。
【００７０】
図１２は、この様子を例示する。左側の縦方向の棒が第一情報１２０１を模式的に表わしており、第一情報の出力の形態を変更して第二情報とともに出力したものが、右側の縦方向の棒により表わされている。第一情報１２０１の一部が削除され、情報の断片１２０２と１２０４との間に、第二情報１２０３が挿入されている。
【００７１】
図１２では、情報の削除は、第一情報１２０１の中間あたりで行なわれていたが、上部が削除されるようになっていてもよい。
【００７２】
特に、第一情報のうち、画面に表示された場合の中央部分など主要な部分を削除して第二情報を表示することにより、第二情報が視聴されるようになる。
【００７３】
（実施形態９）
実施形態９は、第一情報出力の形態の変更として、第一情報の出力の一部を削除することで第一情報の出力に利用されている画面の面積を減じて、第二情報を出力する領域を画面内の下部に確保するものである。
【００７４】
図１３は、この様子を例示しており、左側に模式的に示される第一情報１３０１から、下部を削除し、右側に模式的に示されるように第一情報１３０２とし、削除された部分に第二情報１３０３を表示するようにしたものである。
【００７５】
これにより、例えば、さりげなく第二情報を表示することができる。
【００７６】
（実施形態１０）
本発明の実施形態１０は、第一情報を出力し、選択情報に基づいて第二情報を出力し、第一情報を識別する情報と選択情報を識別する情報とを蓄積する情報サーバに関する。本実施形態の情報サーバは、例えば、実施形態１ないし９のいずれか一の情報表示装置と対をなすものであり、情報表示装置の利用分野及び解決しようとする課題を同じにするものである。
【００７７】
（実施形態１０：構成）
図１４は、本実施形態における情報サーバの機能ブロック図を例示する。情報サーバ１４００は、第一情報出力部１４０１と、サーバ選択情報取得部１４０２と、第二情報出力部１４０３と、選択履歴蓄積部１４０４と、を備える。
【００７８】
「第一情報出力部」１４０１は、第一情報を出力する。「出力する」とは、情報サーバ１４００の外部へ出すことである。例えば、媒体へ記録する、放送する、通信のために送信する、などの態様がある。
【００７９】
「サーバ選択情報取得部」１４０２は、選択情報を取得する。例えば、実施形態１ないし９のいずれかの情報表示装置から送信された選択情報を通信網を介して受信したりする。
【００８０】
「第二情報出力部」１４０３は、サーバ選択情報取得部１４０２にて取得された選択情報に基づいて第二情報を出力する。例えば、選択情報と第二情報の識別情報とが対応付けられており、この対応付けによって選択情報に対応付けられた第二情報の識別情報を取得して、その識別情報で識別される第二情報を取得して出力する。
【００８１】
「選択履歴蓄積部」１４０４は、第一情報識別情報と、サーバ選択情報取得部で取得された選択情報とを履歴として蓄積する。「第一情報識別情報」とは、第一情報出力部で出力される第一情報を識別する情報である。
【００８２】
選択履歴蓄積部１４０４は、例えば、図１５に例示されるように、「第一情報識別情報」という名の列と「選択情報」という名の列とを持つ表に、第一情報識別情報と選択情報とを蓄積するものであってもよい。このような表は、情報サーバを計算機によって実現した場合に、データベース管理システムにより計算機に保持させることが可能である。
【００８３】
（実施形態１０：処理の流れ）
図１６は、情報サーバ１４００の処理の流れを説明するフローチャートを例示する。
【００８４】
ステップＳ１６０１において、第一情報を出力する。この処理は、第一情報出力部１４０１によって行なわれる。
【００８５】
ステップＳ１６０２において、選択情報を取得するまで待つ。この処理は、サーバ選択情報取得部１４０２によって行なわれる。
【００８６】
ステップＳ１６０３において、第二情報を出力する。この処理は、第二情報出力部１４０３によって行なわれる。
【００８７】
ステップＳ１６０４において、第一情報識別情報と選択情報とを履歴として蓄積する。この処理は、選択履歴蓄積部１４０４によって行なわれる。
【００８８】
（実施形態１０：メニュー情報を出力してもよい）
なお、情報サーバ１４００は、メニュー表示要求を受け付けて、メニュー情報を出力するようにしてもよい。これにより、情報表示装置がメニュー情報を蓄積などして保持する必要がなくなり、簡略化される。また、情報サーバ１４００が出力することができる第二情報に応じたメニュー情報を出力することができる。
【００８９】
（実施形態１０：情報サーバは計算機によって実現できる）
情報サーバ１４００は、計算機によって実現することが可能である。この場合、図１４は、計算機で動作させるプログラムのモジュール構造を示し、図１６は、そのプログラムの動作を説明するフローチャートとなる。
【００９０】
（実施形態１０：主な効果）
本実施形態によれば、例えば、実施形態１ないし９のいずれか一の情報表示装置を実現することができる。
【００９１】
【発明の効果】
以上のように、本発明によれば、第一情報が出力され、第一情報が人間に認識されてから第二情報を出力することになり、第一情報の認識をさせることができる。
【図面の簡単な説明】
【図１】実施形態１における情報表示装置の機能ブロック図
【図２】第一情報が表示されている一例図
【図３】メニュー情報が表示されている一例図
【図４】第一情報の出力の形態を変更して第二情報が出力されている一例図
【図５】実施形態１における処理の流れを説明するフローチャート
【図６】実施形態２における情報表示装置の機能ブロック図
【図７】情報メニュー対応情報を蓄積する表の一例図
【図８】実施形態３における情報表示装置の処理の流れの概略を説明するフローチャート
【図９】実施形態４における情報表示装置の処理の流れの概略を説明するフローチャート
【図１０】実施形態６における第一情報の出力の形態を説明する模式図
【図１１】実施形態７における第一情報の出力の形態を説明する模式図
【図１２】実施形態８における第一情報の出力の形態を説明する模式図
【図１３】実施形態９における第一情報の出力の形態を説明する模式図
【図１４】実施形態１０における情報サーバの機能ブロック図
【図１５】第一情報識別情報と選択情報とを蓄積する表の一例図
【図１６】実施形態１０における情報サーバの処理の流れを説明するフローチャート
【図１７】主画面と従画面とが画面に表示されている一例図
【図１】
2004126926.tif 000003
【図２】
2004126926.tif 000004
【図３】
2004126926.tif 000005
【図４】
2004126926.tif 000006
【図５】
2004126926.tif 000007
【図６】
2004126926.tif 000008
【図７】
2004126926.tif 000009
【図８】
2004126926.tif 000010
【図９】
2004126926.tif 000011
【図１０】
2004126926.tif 000012
【図１１】
2004126926.tif 000013
【図１２】
2004126926.tif 000014
【図１３】
2004126926.tif 000015
【図１４】
2004126926.tif 000016
【図１５】
2004126926.tif 000017
【図１６】
2004126926.tif 000018
【図１７】
2004126926.tif 000019